(57)【要約】【課題】モニター装着部に搭載されている既設のラジオ等を市販の２ＤＩＮサイズのヘッドユニットへの交換が容易であると共に、低コスト化が図れる。【解決手段】ヘッドユニット１０を固定する固定金具２０と、ヘッドユニット２０の前面に配設されるフロントパネル４０と、自動車のモニター装着部に固定され、かつ固定金具２０が固定される２個のベース金具３０とを有する。ベース金具３０をモニター装着部に固定し、ヘッドユニット１０を固定した固定金具２０をベース金具３０に固定し、固定金具２０にフロントパネル４０を取付けている。【選択図】      図１
0003104462.tif 000002
【実用新案登録請求の範囲】
【請求項１】
ヘッドユニットを固定する固定金具と、ヘッドユニットの前面に配設されるフロントパネルと、自動車のモニター装着部の奥側の両側に固定されると共に、前記固定金具が固定される２個のベース金具とを備え、前記固定金具は、前記ヘッドユニットの両側の側面のねじ穴に対応した位置にねじ挿入穴が形成された側面部と、この側面部の前端より外側に折り曲げられ、前記ベース金具に固定されるねじ挿入穴が形成されると共に、前記フロントパネルが取付けられる金具取付け部とからなり、前記ベース金具は、前記モニター装着部に配設されると共に、前記固定金具の金具取付け部のねじ挿入穴に対応した位置にねじ穴が形成された金具取付け部と、モニター装着部のねじ穴に対応した位置にねじ挿入穴が形成された金具取付け部とからなり、ベース金具をモニター装着部に固定し、ヘッドユニットを固定した固定金具をベース金具に固定し、固定金具にフロントパネルを取付けたことを特徴とする自動車のインダッシュ装置。
【考案の詳細な説明】
【技術分野】
【０００１】
本考案は、自動車のモニター装着部に市販のヘッドユニットを取付けるためのインダッシュ装置に関する。
【背景技術】
【０００２】
自動車のモニター装着部に搭載されているラジオ等、例えばビー・エム・ダブリュウー株式会社製の車種Ｘ５のセンターコンソール部に搭載されている既設のモニター又はラジオ等を市販のオーディオ／テレビ、ナビモニター、ＣＤ又はＭＤプレヤー等の２ＤＩＮ（ＤＩＮはドイツ規格）サイズのヘッドユニットに交換することが行われている。例えば特許文献１参照。
【０００３】
特許文献１は、主部品として、ヘッドユニットを固定する固定金具と、ヘッドユニットの前面に配設されるフロントパネルと、固定金具を収納し自動車のモニター装着部に固定されるインナーパネルとを有している。
【特許文献１】実用新案登録第３０９６０７９号公報
【考案の開示】
【考案が解決しようとする課題】
【０００４】
上記従来技術は、インナーパネルの構造が複雑であり、また前記した主部品の他に多数の補助部品を必要とするので、コスト高になるという問題があった。
【０００５】
本考案の課題は、センターコンソール部に搭載されている既設のナビモニター又はラジオ等を市販の２ＤＩＮサイズのヘッドユニットに低コストで容易に交換することができる自動車のインダッシュ装置を提供することにある。
【課題を解決するための手段】
【０００６】
上記課題を解決するための本考案は、ヘッドユニットを固定する固定金具と、ヘッドユニットの前面に配設されるフロントパネルと、自動車のモニター装着部の奥側の両側に固定されると共に、前記固定金具が固定される２個のベース金具とを備え、前記固定金具は、前記ヘッドユニットの両側の側面のねじ穴に対応した位置にねじ挿入穴が形成された側面部と、この側面部の前端より外側に折り曲げられ、前記ベース金具に固定されるねじ挿入穴が形成されると共に、前記フロントパネルが取付けられる金具取付け部とからなり、前記ベース金具は、前記モニター装着部に配設されると共に、前記固定金具の金具取付け部のねじ挿入穴に対応した位置にねじ穴が形成された金具取付け部と、モニター装着部のねじ穴に対応した位置にねじ挿入穴が形成された金具取付け部とからなり、ベース金具をモニター装着部に固定し、ヘッドユニットを固定した固定金具をベース金具に固定し、固定金具にフロントパネルを取付けたことを特徴とする。
【考案の効果】
【０００７】
本考案の効果として、ヘッドユニットを取付けるために固定金具、モニター装着部に固定されると共に固定金具が固定されるベース金具及び固定金具に固定されるフロントパネルと、その他にねじ等の少ない部品でよいので、取付けが容易で、かつ低コスト化が図れる。
【考案を実施するための最良の形態】
【０００８】
本考案の一実施の形態を図１乃至図４により説明する。本実施の形態は、例えばビー・エム・ダブリュウー株式会社製の車種Ｘ５において、図４に示す自動車のモニター装着部１に装着された純正ナビモニター２に代えて市販の２ＤＩＮサイズの図１に示すテレビ／ナビモニタ等のヘッドユニット１０を取付ける場合を示す。
【０００９】
モニター装着部１にヘッドユニット１０を取付けるための主部品は、図１に示すように、ヘッドユニット１０を固定するための固定金具２０と、固定金具２０をモニター装着部１に取付けるための２個のベース金具３０と、ヘッドユニット１０の前面部に配設されるフロントパネル４０とからなっている。
【００１０】
固定金具２０は、ヘッドユニット１０を固定するために、ベース部２１の両側よりそれぞれ立ち上がった側面部２２を有し、側面部２２にはヘッドユニット１０の両側に形成されたねじ穴１１に対応した位置にねじ５０を挿入するねじ挿入穴２３が形成されている。側面部２２の前端には、外側に折り曲げられた金具取付け部２４が形成されており、金具取付け部２４には、ねじ５１を挿入するねじ挿入穴２５が形成されている。
【００１１】
ベース金具３０は、固定金具２０の金具取付け部２４が固定される金具取付け部３１を有し、金具取付け部３１には固定金具２０のねじ挿入穴２５に対応してねじ穴３２が形成されている。また金具取付け部３１には、図３及び図４に示すモニター装着部１の取付け部３の上方の固定用ねじ穴４に対応してねじ５２を挿入するねじ挿入穴３３が形成されている。また金具取付け部３１の下端部から取付け部３の下方の固定用ねじ穴５部分に伸びた金具取付け部３４が形成され、金具取付け部３４には固定用ねじ穴３に対応してねじ５３を挿入するねじ挿入穴３５が形成されている。
【００１２】
フロントパネル４０には、ヘッドユニット１０の表示部１２が挿入される矩形形状の表示部穴４１が形成されている。またフロントパネル４０をヘッドユニット１０に取付けるために、固定金具２０の金具取付け部２４の上下には図１及び図２に示すように面ファスナー６０が固定され、フロントパネル４０の裏面には面ファスナー６０に対応して面ファスナー６１が固定されている。
【００１３】
次に本装置のモニター装着部１への取付けについて説明する。まず、準備作業として、モニター装着部１内に固定金具２０を配設するためのスペースを確保するために、図４に示すように純正ナビモニター２を取り外した後、モニター装着部１の内部のオーディオキャリアーの上部及び下部をカットして取り除く。これにより、モニター装着部１には２ＤＩＮサイズの空間が確保される。
【００１４】
そこで、図３に示すように、モニター装着部１の取付け部３にベース金具３０を配設し、ねじ５２、５３をベース金具３０のねじ挿入穴３２、３５を通してモニター装着部１の固定用ねじ穴４、５にねじ込んでベース金具３０をモニター装着部１に固定する。また図１において、固定金具２０内にヘッドユニット１０を配設し、ねじ５０を固定金具２０のねじ挿入穴２３を通してヘッドユニット１０のねじ穴１１にねじ込んで図２に示すようにヘッドユニット１０を固定金具２０に固定する。
【００１５】
次にねじ５１を固定金具２０のねじ挿入穴２５を通してベース金具３０のねじ穴３２にねじ込み、ヘッドユニット１０が固定された固定金具２０をベース金具３０に固定する。これにより、ヘッドユニット１０は固定金具２０及びベース金具３０を介してモニター装着部１内に固定される。最後に、ヘッドユニット１０の前面にフロントパネル４０を配設すると、固定金具２０に設けた面ファスナー６０とフロントパネル４０に設けた面ファスナー６１が係合し、フロントパネル４０はヘッドユニット１０に固定される。
【００１６】
このように、ヘッドユニット１０を取付けるために固定金具２０、ベース金具３０及びフロントパネル４０と、その他にねじ５０〜５３等の少ない部品でよいので、取付けが容易であると共に低コスト化が図れる。
【００１７】
本発明の他の実施の形態を図５乃至図７により説明する。本実施の形態は、図７に示すように、自動車のモニター装着部１に装着された純正カセットラジオ６及びインフォメーションボード７に代えてヘッドユニット１０を取付けた場合を示す。なお、前記実施の形態と同じ又は相当部材及び部分には同一符号を付し、その詳細な説明は省略する。
【００１８】
本実施の形態は、ベース金具３０の形状が異なるのみである。図６に示すように、モニター装着部１の取付け部３はボックス形状となっており、前記実施の形態（図３参照）における固定用ねじ穴４がない。そこで、ベース金具３０は、取付け部３に弾性力で係合できるように、金具取付け部３１の両側には側壁部３６が形成され、側壁部３６の奥行きの開放端は外側に拡げて形成されている。
【００１９】
本実施の形態においては、まず、準備作業として、図７に示すように、純正１ＤＩＮサイズカセットラジオ６及びインフォメーションボード７を取り外した後、前記実施の形態と同様に、モニター装着部１の内部のオーディオキャリアーの上部８及び下部９をカットして取り除く。これにより、モニター装着部１には２ＤＩＮサイズの空間が確保される。
【００２０】
ベース金具３０のモニター装着部１への固定、図２に示すようにヘッドユニット１０が固定された固定金具２０のベース金具３０への固定、固定金具２０へのフロントパネル４０の固定は、前記実施の形態と殆ど同じであるので簡単に説明する。図５に示すベース金具３０の側壁部３６を縮めて図６に示す取付け部３に挿入すると、ベース金具３０は取付け部３に弾性的に係合する。そして、ねじ５３をねじ挿入穴３５を通して固定用ねじ穴３にねじ込むと、ベース金具３０はモニター装着部１に固定される。次にヘッドユニット１０が固定された固定金具２０をモニター装着部１に挿入し、ねじ５１をねじ挿入穴２５を通してベース金具３０のねじ穴３２にねじ込む。これにより、ヘッドユニット１０は固定金具２０及びベース金具３０を介してモニター装着部１内に固定される。最後に、ヘッドユニット１０の前面に図２に示すフロントパネル４０を配設すると、ヘッドユニット１０に設けた面ファスナー６０とフロントパネル４０に設けた面ファスナー６１とが係合し、フロントパネル４０はヘッドユニット１０に固定される。
【図面の簡単な説明】
【００２１】
【図１】本考案の自動車のインダッシュ装置の一実施の形態を示す分解斜視図である。
【図２】ヘッドユニットを固定した固定金具及びフロントパネルを示す斜視図である。
【図３】自動車のモニター装着部への本装置の取付け状態を示す説明図である。
【図４】自動車のモニター装着部部分の斜視説明図である。
【図５】本考案の自動車のインダッシュ装置の他の実施の形態を示す要部部品の分解斜視図である。
【図６】自動車のモニター装着部への本装置の取付け状態を示す説明図である。
【図７】自動車のモニター装着部部分の斜視説明図である。
【符号の説明】
【００２２】
１    モニター装着部
２    ２ＤＩＮモニター
３    取付け部
４、５    固定用ねじ穴
６    カセットラジオ
７    インフォメンションボード
１０    ヘッドユニット
１１    ねじ穴
２０    固定金具
２１    ベース部
２２    側面部
２３    ねじ挿入穴
２４    金具取付け部
２５    ねじ挿入穴
３０    ベース金具
３１    金具取付け部
３２    ねじ穴
３３    ねじ挿入穴
３４    金具取付け部
３５    ねじ挿入穴
４０    フロントパネル
４１    表示部穴
５１〜５３    ねじ
６０、６１    面ファスナー
【図１】
0003104462.tif 000003
【図２】
0003104462.tif 000004
【図３】
0003104462.tif 000005
【図４】
0003104462.tif 000006
【図５】
0003104462.tif 000007
【図６】
0003104462.tif 000008
【図７】
0003104462.tif 000009